(57)【要約】  ハウジング内の装着に適した照明装置および構造体が説明される。高輝度放電（ＨＩＤ）または他のタイプの照明用に装着されるハウジングなどのハウジングは、既存のハウジングである可能性がある。照明装置は、ＬＥＤのアレイなどの所望のタイプの（１つまたは複数の）光源を有する、光ユニット（照明器具など）を含むことができる。この装置は、光ユニットの装着が最小限のユーザー努力および時間しか必要としないように、ハウジングと共に使用するのに適した構造体を含むことができる。したがって、そうした照明装置および関連する装着方法は、高効率照明を提供することができる。関連する組立技術および装着技術も説明する。【選択図】図１
2013522858.tif 000002
【特許請求の範囲】
【請求項１】
固定具ハウジング内の開口部を取り囲み、前記開口部を画定する、前記ハウジングの下端部にフランジを有する前記固定具ハウジング内に装着するのに適した照明装置であって、
上部表面と、下部表面と、外側周縁部と、内側周縁部により画定される開口部とを有する連結板であって、前記ハウジングの前記フランジに対して嵌合し、前記フランジに連結するように構成され、照明電源ユニット用の駆動装置板を確実に受けるように構成および配置される、連結板、
照明ユニットを含む光パネル、および
前記連結板および前記光パネルを確実に受けるように構成および配置される外部取付パネル
を備える、照明装置。
【請求項２】
前記連結板は、前記内側周縁部に隣接し、前記外側周縁部に隣接する締結具構造体を含む、請求項１に記載の照明装置。
【請求項３】
前記照明ユニットを動作させ、前記照明ユニットに電気的に接続される照明電源ユニットをさらに備える、請求項１に記載の照明装置。
【請求項４】
前記照明電源ユニットは、前記連結板に固定される駆動装置板上で支持される、請求項３に記載の照明装置。
【請求項５】
前記フランジは、１つまたは複数の弾性クリップを含む、請求項１に記載の照明装置。
【請求項６】
前記連結板は、前記外部取付パネルに取り付けられる安全ケーブルを受けるように構成される安全フックをさらに備える、請求項１に記載の照明装置。
【請求項７】
前記外部取付パネルは、対応する締結具を受けるための、２つのキーホール溝を備える、請求項１に記載の照明装置。
【請求項８】
前記ハウジングフランジは、前記ハウジングのキャノピーから離間した内部表面を含み、前記連結板は、前記ハウジングフランジの前記内部表面と結合するように構成される支持表面を有する、１つまたは複数のタブをさらに備える、請求項１に記載の照明装置。
【請求項９】
前記照明ユニットは、複数のＬＥＤを備える、請求項１に記載の照明装置。
【請求項１０】
前記照明ユニットは、光学部品を有するハウジングを備える、請求項１に記載の照明装置。
【請求項１１】
前記連結板と前記ハウジングフランジとの間に配置される密封材をさらに備える、請求項１に記載の照明装置。
【請求項１２】
前記連結パネルを前記ハウジングフランジに連結する、複数の締結具をさらに備える、請求項１に記載の照明装置。
【請求項１３】
前記外部取付パネルを前記連結板に連結する、複数の締結具をさらに備える、請求項１に記載の照明装置。
【請求項１４】
前記光パネルを前記外部取付パネルに連結する、複数の締結具をさらに備える、請求項１に記載の照明装置。
【請求項１５】
固定具ハウジング内の開口部を取り囲み、前記開口部を画定する、ハウジングの下端部で内側に向くフランジを含む前記ハウジングを有する既存の固定具内に照明装置を装着する方法であって、前記固定具ハウジングは、第１の組の電気導線を通して電源に接続する安定器と、第２の組の電気導線を通して前記安定器に接続する第１のランプソケットと、前記第１のランプソケット内に取り付けられるランプと、反射板と、前記開口部を覆うレンズ組立体とをさらに有する、方法において、
前記ハウジングの内部を前記ハウジング内の前記開口部を通して露出させるために、前記固定具ハウジングから前記レンズ組立体を取り外すステップと、
前記安定器に接続する前記第１の組の電気導線の接続を断つステップと、
少なくとも前記ランプおよび前記反射板を前記固定具ハウジングから取り外すステップと、
上部表面および下部表面と、外側周縁部と、内側周縁部により画定される開口部とを含む、連結板を設けるステップであって、前記連結板は、前記ハウジングの前記フランジに対して嵌合し、前記フランジに連結するように構成され、前記連結板は、照明電源ユニット用の駆動装置板を確実に受けるように構成および配置される、ステップと、
照明ユニットを含む、光パネルを設けるステップと、
前記連結板および前記光パネルを確実に受けるように構成および配置される外部取付パネルを設けるステップと
を含む、方法。
【請求項１６】
前記光パネルを前記外部取付パネルに連結するステップをさらに含む、請求項１５に記載の方法。
【請求項１７】
前記連結板を前記ハウジングフランジに連結するステップをさらに含む、請求項１５に記載の方法。
【請求項１８】
前記外部取付パネルを前記連結板に連結するステップをさらに含む、請求項１５に記載の方法。
【請求項１９】
前記外部取付パネルを前記連結板に連結するステップは、前記外部取付パネルに連結される安全ケーブルに、前記連結板に取り付けられる安全フックを連結するステップを含む、請求項１８に記載の方法。
【請求項２０】
電源制御ユニットを設けるステップをさらに含む、請求項１５に記載の方法。
【請求項２１】
密封材を前記フランジと前記連結板との間に施すステップをさらに含む、請求項１５に記載の方法。
【請求項２２】
前記ハウジングフランジは、前記ハウジングのキャノピーから離間した内部表面を含み、前記連結板は、前記ハウジングフランジの前記内部表面と結合するように構成される支持表面を有する、１つまたは複数のタブをさらに備える、請求項１５に記載の方法。
【請求項２３】
前記光ユニットは、複数のＬＥＤを備える、請求項１５に記載の方法。
【発明の詳細な説明】
【技術分野】
【０００１】
[0001]本出願は、２０１０年３月２４日に出願した米国特許出願第１２／７３１，０７７号の利益を主張するものであり、米国特許出願第１２／７３１，０７７号の教示全体は、参照により本明細書に組み込まれている。
【背景技術】
【０００２】
[0002]「照明器具」と呼ばれることがある光パネルは、通常、ガソリンスタンド、コンビニエンスストア、およびドライブスルーレストランなどの屋外照明を含む多くの用途に、下向きおよび外向きの配光をもたらすように設計される。キャノピー照明器具は、通常、水平天井に取り付けられる箱状のキャノピー固定具ハウジング、または照明部品を取り囲み、それらを支持するためのキャノピー支持構造体、およびキャノピー照明器具の関連する構造体を含む。キャノピー照明器具の照明部品は、高輝度放電（ＨＩＤ）ランプに電気的に結合する、安定器、コンデンサ、および点弧装置などの電気制御要素を含む。このランプは、通常、キャノピー固定具内のランプ受口内に水平に取り付けられ、反射板が、ランプの発光部分より上に設けられ、ランプを取り囲む、ガラスまたはプラスチックのレンズ組立体を通して下向きに配光する。
【０００３】
[0003]キャノピー照明器具の交換または取替えは、通常、交換用照明器具を装着するために既存のキャノピー固定具ハウジング内に十分な空間をもたらすように、既存の照明部品のいくつかまたはすべて、および照明器具の関連する構造体を固定具ハウジングから取り外す必要がある。これまで、交換用キャノピー照明器具は、後にキャノピー固定具ハウジング内に個別に取り付けられ、配線される、分解された部品として製造者から輸送されてきた。しかし、既存のキャノピー固定具装着における個々の改修用照明器具部品の装着および配線は、キャノピー固定具が通常、梯子によってのみ接近可能なので、複雑で時間が掛かるプロセスであることが理解されよう。どの場所または現場も、１０個以上のキャノピー照明器具の交換または取替えを必要とする可能性があるので、既存のキャノピー照明器具の個々の改修用部品の装着、取付け、および配線の難しさが、大幅に増大する。
【発明の概要】
【発明が解決しようとする課題】
【０００４】
[0004]したがって、既存のキャノピー照明器具を改修するのに必要な時間を最小にする照明器具組立体が必要である。既存のキャノピー固定具ハウジング内の改修用照明器具組立体の単純性および装着しやすさを改善する照明器具組立体も必要である。
【課題を解決するための手段】
【０００５】
[0005]先行する本開示内容の概要も以下の詳細な説明も、例示的かつ説明的なものであり、本開示内容の範囲を限定するものではないことを理解されたい。さらに、本明細書に使用される用語に関して、単数の要素への言及は、特に明記しない限り、「１つおよび１つのみ」を意味するものではなく、むしろ「１つまたは複数」を意味するものとする。用語「ｓｏｍｅ（いくつかの）」は、１つまたは複数を指す。下線が引かれた、および／またはイタリック体の見出しならびに小見出しは、便宜のためだけに使用され、本開示内容を限定するものではなく、本開示内容の説明の解釈に関して参照されるものではない。
【０００６】
[0006]本開示内容の態様および実施形態は、ハウジング内への装着に適した照明装置を提供することにより、上述の問題に対処する。高輝度放電（ＨＩＤ）または他のタイプの照明用に装着されるハウジングなどのハウジングが既存である可能性がある。照明装置は、ＬＥＤのアレイなどの所望のタイプの（１つまたは複数の）光源を含むことができる。この装置は、光ユニットの装着が最小限のユーザー努力および時間しか必要としないように、ハウジングと共に使用するのに適した構造体を含むことができる。
【０００７】
[0007]本開示内容の態様は、固定具ハウジング内の開口部を取り囲み、この開口部を画定する、ハウジングの下端部にフランジを有する固定具ハウジング内に装着するのに適する可能性がある照明装置に関する。この装置は、上部表面、下部表面、外側周縁部、および内側周縁部により画定される開口部を有する連結板を含むことができる。連結板は、ハウジングのフランジに対して嵌合し、このフランジに連結するように構成される。連結板は、照明電源ユニット用の駆動装置板を確実に受けるように構成および配置することができる。この装置は、照明ユニットを含む、光パネルを含むことができる。この装置は、外部取付パネルを含むこともできる。外部取付パネルは、連結板および光パネルを確実に受けるように構成および配置することができる。
【０００８】
[0008]連結板の一実施形態は、内側周縁部に隣接し、外側周縁部に隣接する締結具構造体を含むことができる。
[0009]照明装置は、照明ユニットを動作させ、照明ユニットに電気的に接続される照明電源ユニットを含むことができる。
【０００９】
[0010]照明電源ユニットは、連結板に固定される駆動装置板上で支持することができる。
[0011]ハウジングのフランジは、１つまたは複数の弾性クリップを含むことができる。
【００１０】
[0012]連結板は、外部取付パネルに取り付けられる安全ケーブルを受けるように構成される安全フックを含むことができる。
[0013]外部取付パネルは、ねじなどの対応する締結具を受けるための、１つまたは複数の（例えば２つの）キーホール溝を含むことができる。
【００１１】
[0014]ハウジングフランジは、ハウジングのキャノピーから離間した内部表面を含むことができ、連結板は、ハウジングフランジの内部表面と結合するように構成される支持表面を有する、１つまたは複数のタブをさらに備える。
【００１２】
[0015]照明ユニットは、複数のＬＥＤを含むことができる。
[0016]照明ユニットは、光学部品を有するハウジングを含むことができる。
[0017]密封材は、連結板とハウジングフランジとの間に配置することができる。
【００１３】
[0018]照明装置は、連結パネルをハウジングフランジに連結する、複数の締結具を含むことができる。
[0019]照明装置は、外部取付パネルを連結板に連結する、複数の締結具を含むことができる。
【００１４】
[0020]照明装置は、光パネルを外部取付パネルに連結する、複数の締結具を含むことができる。
[0021]本開示内容の別の態様は、固定具ハウジング内の開口部を取り囲み、この開口部を画定する、ハウジングの下端部で内側に向くフランジを含むハウジングを有する既存の固定具内に照明装置を装着する方法に関し、固定具ハウジングは、第１の組の電気導線を通して電源に接続する安定器と、第２の組の電気導線を通して安定器に接続する第１のランプソケットと、第１のランプソケット内に取り付けられるランプと、反射板と、開口部を覆うレンズ組立体とをさらに有する。本方法は、ハウジングの内部をハウジング内の開口部を通して露出させるために、固定具ハウジングからレンズ組立体を取り外すステップを含むことができる。安定器に接続する第１の組の電気導線の接続を断つことができる。ランプおよび反射板は、固定具ハウジングから取り外すことができる。上部表面および下部表面と、外側周縁部と、内側周縁部により画定される開口部とを含む、連結板を設けることができる。連結板は、ハウジングのフランジに対して嵌合し、このフランジに連結するように構成することができる。連結板は、照明電源ユニット用の駆動装置板を確実に受けるように構成および配置することができる。照明ユニットまたは照明器具を含む、光パネルを設けることができる。外部取付パネルは、本方法の一部分として設けることができる。外部取付パネルは、連結板および光パネルを確実に受けるように構成および配置することができる。
【００１５】
[0022]光パネルは、外部取付パネルに連結することができる。
[0023]連結板は、ハウジングフランジに連結することができる。
[0024]外部取付パネルは、連結板に連結することができる。
【００１６】
[0025]外部取付パネルを連結板に連結するステップは、外部取付パネルに連結される安全ケーブルに、連結板に取り付けられる安全フックを連結するステップを含むことができる。
【００１７】
[0026]電源制御ユニットを設けることができる。
[0027]密封材は、フランジと連結板との間に施し／設けることができる。
[0028]ハウジングフランジは、ハウジングのキャノピーから離間した内部表面を含むことができる。連結板は、ハウジングフランジの内部表面と結合するように構成される支持表面を有する、１つまたは複数のタブを含むことができる。
【００１８】
[0029]光ユニットは、複数のＬＥＤを備える。
[0030]上述の実施形態および態様は、どんな実用上の組合せでも、組み合わせ、または構成することができることが理解されよう。
【００１９】
[0031]本開示内容の実施形態の他の特徴は、本明細書内の説明、図面、および特許請求の範囲から明らかになるであろう。
[0032]本開示内容の態様は、本来、例示的なものとみなすべきであり、限定的なものとみなすべきでない添付の図面と併せて、以下の説明を読めば、より十分に理解できる。図面は、必ずしも原寸に比例しておらず、その代わりに、本開示内容の原理が強調される。
【図面の簡単な説明】
【００２０】
【図１】[0033]本開示内容の例示的な実施形態による照明装置の分解図である。
【図２】[0034]本開示内容の例示的な実施形態による照明装置を示す、３つの図（Ａ）〜（Ｃ）である。
【図３】[0035]本開示内容の例示的な実施形態による、安定器を有する連結板の斜視図である。
【図４】[0036]本開示内容の例示的な実施形態による、外部取付パネル上に装着される光パネルを示す平面図である。
【図５】[0037]図１の装置の断面図である。
【図６】[0038]図１の装置の別の断面図である。
【図７】[0039]本開示内容の例示的な実施形態による連結板の上面図および底面図をそれぞれ示す図（Ａ）、（Ｂ）の組である。
【図８】[0040]本開示内容の例示的な実施形態による外部取付パネルの上面図および底面図をそれぞれ示す図（Ａ）、（Ｂ）の組である。
【発明を実施するための形態】
【００２１】
[0041]いくつかの実施形態が図面に示されているが、図示する実施形態は例示的なものであり、図示する実施形態の変形形態、および本明細書に説明する他の実施形態は、本開示内容の範囲内で考え、実施することができることを当業者は理解するであろう。したがって、図面および詳細な説明は、本来、例示的なものとみなすべきであり、限定的なものとみなすべきでない
[0042]以下の詳細な説明では、本開示内容の態様および実施形態を十分に理解するために、いくつかの具体的な詳細が記載される。しかし、本開示内容の態様および実施形態は、これらの具体的な詳細のいくつかを含むことなく、実施することができることは当業者には明らかであろう。他の場合には、よく知られた構造および技術は、理解を容易にするために、詳細には示していない。
【００２２】
[0043]本開示内容の実施形態は、ハウジング内の装着に適した照明装置に関する。ハウジングは、高輝度放電（ＨＩＤ）または他のタイプの照明用に装着されるハウジングなどの既存のハウジングとすることができる。照明装置は、ＬＥＤのアレイなどの（１つまたは複数の）所望のタイプの光源を有する光ユニット（照明器具など）を含むことができる。この装置は、光ユニットの装着が最小限のユーザー努力および時間しか必要としないように、ハウジングと共に使用するのに適した構造体を含むことができる。したがって、そうした照明装置および関連する装着方法は、高効率照明の装着および使用をもたらすことができる。
【００２３】
[0044]図１は、本発明の例示的な実施形態による照明装置１００の分解図を示す。照明装置１００は、１つまたは複数の光源を含む光パネル（すなわち照明器具）１１０と、外部取付板１３０と、ハウジング１５０に嵌合するように構成された内部取付パネルすなわち「連結板」１４０とを含む。光パネル１１０は、市販のＬＥＤのアレイなどのいくつかの光源と、光源を保護し、および／または光出力を方向付け／光出力の焦点を合わせるための任意の光学部品（図示せず）とを含む照明ユニット１２０を含むことができる。
【００２４】
[0045]ハウジング１５０は、図示するように、フランジ１５２およびキャノピー１５４を有することができる。フランジ１５２は、図示するように、内側に張り出す表面１５３を有することができる。表面１５３は、キャノピー１５４から（垂直および／または水平に）離間することができる。任意の湿分遮蔽部材１５８も図示される。光パネル１１０は、外部取付板１３０および連結板１４０により、ハウジング１５０に嵌合または連結することができる。外部取付板１３０は、図示するように、ねじ１１６などの所望の数の締結具により、連結板１４０に連結することができる。連結板１４０は、開口部１４１を含み、ハウジング１５０のフランジ１５２および／または１５３と嵌合するように構成され、ハウジング１５０に適合する。連結板１４０は、ねじ１４２またはボルトなどを受けるための表面または開口部（ねじ式または非ねじ式）などの、いくつかの締結具構造体１４９を含む。締結具構造体１４９は、図示するように、外側周縁部の周り、および内側周縁部内などの、連結板１４０上の所望の位置に配置することができる。
【００２５】
[0046]照明ユニット１２０は、任意の適当なタイプとすることができる。例示的な実施形態は、ＬＳＩ  Ｉｎｄｕｓｔｒｉｅｓ  Ｉｎｃ．により提供されるＣＲＯ  ＬＥＤ１００ユニットを含むことができる。他の適当な照明ユニット、および関連する駆動装置または電源制御ユニットは、「Ｓｏｌｉｄ  Ｓｔａｔｅ  Ｌｉｇｈｔｉｎｇ，Ｄｒｉｖｅｒ  Ｃｉｒｃｕｉｔｓ，ａｎｄ  Ｒｅｌａｔｅｄ  Ｓｏｆｔｗａｒｅ」という名称の２００９年１０月２０日に出願した、共有の米国特許出願第１２／５８２，６５４号に説明され、その内容全体が、参照により本明細書に組み込まれている。
【００２６】
[0047]光パネル１１０は、組み立てられるとき、外部取付板１３０および連結板１４０によりハウジング１５０に連結することができる。密封材１５６は、連結板１４０とハウジング１５０とを密封しやすくするために、フランジ１５２の周りのビードおよびキャノピー１５４上のビード内などに施すことができる。ＲＴＶ化合物またはシリコーンベースの化合物などの、任意の適当な密封材を使用することができる。光パネル１１０用の関連する安定器または駆動装置（図示せず）は、連結板１４０の開口すなわち開口部１４１内に配置することができる。連結板１４０自体は、図示するように、３つの＃１０ねじが既存のセルフロック金属板受け器または弾性クリップ（いわゆる「Ｔｉｎｎｅｒｍａｎ」クリップなど）を通して配置され、３つのセルフドリリング＃１０ねじが使用される、６つのねじなどの所望の数の連結具／締結具１４２により、ハウジング１５０に取り付けることができる。
【００２７】
[0048]引き続き、図１を参照すれば、改修部品装着中などに、装着プロセスの安全性および容易性を向上させるために、図示するように、安全フック１４４（または止金）が、連結板１４０上に存在することができる。装着中、外部取付パネル１３０に連結される安全ケーブル１４６（すなわちテザー）、および光パネル１１０は、フック１４４に懸吊され、連結板１４０およびハウジング１５０が光パネル１１０の重量を保持することを可能にすることができる。例えば、装着中、光ユニット１１０（ＬＥＤユニットなど）を有する外部（すなわち外側）取付パネル１３０、およびそれに取り付けられる駆動装置取付板（図２の板２６２など）は、配線部分の装着が行われるとき、鋼製テザー１４６および止金１４４を介して一時的に連結板１４０に保持することができる。次いで、外部取付パネル１３０は、適当な位置まで回転し、（４つの）＃１０ねじなどの締結具によって連結板に取り付けられ、装着を完了することができる。安全クリップ１４８は、例えば、装着者がハウジング１５０の内部表面にわたり、およびその表面に対して安全クリップ１４８を曲げることにより、連結板１４０をハウジング１５０に固定するために存在することができる。外部取付板１３０自体は、装着プロセスの容易性（スピードを含む）および安全性を促進するための特徴を有することもできる。例えば、いくつかの用途では、外部取付板１３０は、外部取付板１３０および光パネル１１０の、連結板１４０およびハウジング１５０上への迅速な懸吊を可能にする、１つまたは複数の（図示するように、好ましくは、対向する隅部に）キーホール溝１３２を有することができる。
【００２８】
[0049]例示的な実施形態では、図１のハウジング１５０などのハウジングは、高輝度放電（ＨＩＤ）照明に使用されるハウジングなどの既存のハウジングとすることができる。ＨＩＤハウジングの一般的なタイプは、限定されないが、ＬＳＩ  Ｉｎｄｕｓｔｒｉｅｓ  Ｉｎｃ．により提供される、いわゆるＲｉｃｈｍｏｎｄ（すなわち「ＲＩＣ」）ハウジング、Ｈｕｂｂｅｌｌ  Ｌｉｇｈｔｉｎｇ  Ｉｎｃ．により提供される、いわゆるＷｈｉｔｅｗａｙ  Ｃｉｖｉｃ（「ＣＶＣ」）ハウジング、およびＪｅｔ−Ｐｈｉｌｌｉｐｓ  Ｌｉｇｈｔｉｎｇにより提供されるＩｃｏｎハウジングを含む。当然、本開示内容の実施形態は、他の適当な任意のタイプのハウジングと共に使用することができる。
【００２９】
[0050]図２は、本開示内容の例示的な実施形態による照明装置組立体２００を示す、３つの図（Ａ）〜（Ｃ）を含む。図（Ａ）は、光パネル２１０と、外部取付パネル２３０と、駆動装置（電源制御ユニット）２６０および駆動装置支持板２６２が取り付けられる連結板２４０とを含む、組立体２００の上面図を示す。図（Ｂ）、（Ｃ）は、図（Ａ）と直交し、一方は装置２００の長軸に垂直で、一方は短軸に垂直な側面図を示す。
【００３０】
[0051]図２に示すように、外部取付パネル２３０は、中央ねじ式連結具２７０およびねじ式連結具２７２（２つまたは４つのみが図示されている）などにより、連結板２４０、さらには光パネル２１０に連結することができる。中央ねじ式連結具２７０は、光パネル２１０と駆動装置２６０との間の電気的接続を可能にするために中空にすることができる。駆動装置２１０は、駆動装置板２６２などの支持表面上に支持することができる。任意の湿分遮蔽部材２４８および２４９が存在することができる。図（Ｂ）および（Ｃ）に示すように、ガスケット２７４は、組立体２００の密封性を改善するために存在することができる。
【００３１】
[0052]図２は、連結板２４０が、関連するハウジングフランジの内部表面（図１の表面１５３など）と（締結具２４８’などにより）結合するように構成される支持表面を有する、１つまたは複数のタブまたはフランジ２４８を含むことができることも示す。
【００３２】
[0053]図３は、図２の組立体２００の斜視図を示す。この図は、連結板２４０および駆動装置板２６２に連結される外部取付板２３０を示す。任意の接地ストラップ２８０も図示されている。
【００３３】
[0054]図４は、本開示内容の例示的な実施形態による光パネル組立体４００を示す、平面図を示す。光パネル組立体４００は、１つまたは複数の光源を含む、光パネル４１０を含むことができる。図面には、光パネル４１０は、外部取付板４３０上に装着されることが示される。光パネルは、光源を保護するための光学部品４２０を含むことができる。例示的な実施形態では、光源は、図示するように、ＬＥＤ４１２のアレイを含むことができる。
【００３４】
[0055]図５は、ハウジングキャノピー１５４の側面Ａ−Ｂに平行な切断面に沿って切り取られた、図１の装置１００の断面を示す。図１の参照符号が、この図面に使用される。外部取付パネル１３０と光パネル（照明器具）１１０との間のねじ式連結具１７０、１７２が図示される。
【００３５】
[0056]図６は、ハウジングキャノピー１５４の側面Ｃ−Ｄに平行な切断面に沿って切り取られた、図１の装置１００の別の断面を示す。図１の参照符号が、この図面に使用される。
【００３６】
[0057]図７は、本開示内容の例示的な実施形態による連結板７００の上面図（Ａ）および底面図（Ｂ）をそれぞれ示す図面の組を含む。連結板７００は、金属板などの適当な材料から形成される本体７０２を含み、開口または開口部７０４を含む。穴７０６（ねじ式または非ねじ式）などの、いくつかの締結具構造体は、連結板７００の外側周縁部の周りに配置することができる。穴７０８（ねじ式または非ねじ式）などの、いくつかの締結具構造体は、開口部７０４の内側周縁部の周りに配置することができる。７０８などの穴は、関連する表面またはタブを有することができる。図（Ａ）に示すように、開口部７０４の内側周縁部は、本体７０２から離間し、本体７０２にほぼ平行な支持表面７１０を提供するタブまたはフランジを有することができる。そうした表面７１０は、関連するハウジングのフランジ（または内部表面）（連結板を嵌合または適合するようにするフランジ）に連結するために使用することができる。
【００３７】
[0058]図８は、本開示内容の例示的な実施形態による外部取付パネル８００の上面図（Ａ）および底面図（Ｂ）をそれぞれ示す図面の組を含む。外部取付パネル８００は、金属板などの適当な材料から形成される本体８０２を含む。いくつかの締結具穴８０４は、図７の板７００などの関連する連結板との連結を可能にするために存在することができる。
【００３８】
[0059]図８は、キーホール８０４’を使用することができることも示す。そうした穴は、外部取付パネル８００および任意の取付光パネル（図示せず）の迅速な装着を可能にすることができる。開口部／穴８０６は、外部取付パネルの光パネルへの（構造的および／または電気的な）連結を可能にするために設けることができる。
【００３９】
[0060]したがって、本開示内容の実施形態は、先行技術に対する利益をもたらすことができる。例えば、本開示内容の実施形態は、改善される照明を迅速かつ容易に改修するために、光源および電源制御ユニットを、ＨＩＤハウジングなどの既存の光ハウジング内に設けることができる。
【００４０】
[0061]いくつかの光パネルを具体的に説明してきたが、本開示内容の範囲内で、他のものを企図することができる。例えば、共有の米国特許出願第１２／２５４，１０４号に示され、それに説明される、調整可能な光カートリッジを有する光パネルまたはハウジングを使用することができる。他の適当な光パネルを使用することもできる。
【００４１】
[0062]本開示内容の態様をいくつかの実施形態に関して本明細書に説明したが、当業者は本開示内容の技術的思想の範囲内で変形形態を行うことができることに留意されたい。例えば、光ハウジングは、既存のものとして本明細書に説明してきたが、本開示内容の実施形態は、照明装置用のハウジングを提供することができる。さらに、締結具は、ねじを含むものとして本明細書に説明してきたが、ボルト、リベット、スナップ嵌合連結具などの、他のタイプの締結具を、その代わりに、またはそれに加えて使用することができる。さらに、本明細書に説明する部品および構造体に使用する材料は、金属または金属板に限定されることなく、例えば、適当な強度のプラスチックおよび／または複合材料を使用することができる。
【００４２】
[0063]本明細書に説明する様々な機能および要素は、本開示内容の技術的思想および範囲から逸脱することなく、示された機能および要素から様々に分離することができる。これらの実施形態に対する様々な変更形態は、当業者には容易に理解され、本明細書に規定する一般的な原理は、他の実施形態に適用することができる。したがって、当業者は、本開示内容および主張する実施形態の技術的思想および範囲から逸脱することなく、多くの変形形態および変更形態を行うことができる。
【００４３】
[0064]本開示内容の実施形態および／または実施形態の一部分は、コンピュータ読取可能記憶媒体（ハードウェア、ソフトウェア、ファームウェア、またはそれらの任意の組合せ）内に／コンピュータ読取可能記憶媒体により実施することができ、１つまたは複数のネットワークにわたって分配することができることを当業者は理解するであろう。公式を導出、学習、もしくは計算するための処理機能、ならびに／または本開示内容の実施形態により利用および／もしくは作成される数学的モデルを含む、本明細書に説明するステップは、任意の適当な言語（機械依存および機械非依存）の適当なコード／命令を実施する、中央処理ユニット（「ＣＰＵ」）などの、１つまたは複数の適当なプロセッサにより処理することができる。
【００４４】
[0065]それに加えて、本開示内容の実施形態は、通信チャネルまたはネットワークにわたって送られる制御信号などの信号および／または搬送波において具体化することができる。さらに、本開示内容の方法、プロセス、および／またはアルゴリズムを具体化するソフトウェアは、例えばインターネットおよび／または無線ネットワークと共に使用するために、電気信号において実施し、または電気信号により搬送することができる。
【図１】
2013522858.tif 000003
【図２（Ａ）】
2013522858.tif 000004
【図２（Ｂ）】
2013522858.tif 000005
【図２（Ｃ）】
2013522858.tif 000006
【図３】
2013522858.tif 000007
【図４】
2013522858.tif 000008
【図５】
2013522858.tif 000009
【図６】
2013522858.tif 000010
【図７（Ａ）】
2013522858.tif 000011
【図７（Ｂ）】
2013522858.tif 000012
【図８（Ａ）】
2013522858.tif 000013
【図８（Ｂ）】
2013522858.tif 000014
【国際調査報告】
2013522858.tif 000015
2013522858.tif 000016